(57)【特許請求の範囲】
【請求項１】
円環形状の端面を有するカップ形砥石の該端面で、円筒体の外周面に突起が設けられている突起付円筒体の該外周面を加工する突起付円筒体の外周面加工方法において、
前記カップ形砥石の中心軸と前記突起付円筒体の中心軸とを垂直にして、該カップ形砥石の前記端面と該突起付円筒体の前記外周面とを接触させ、
前記カップ形砥石をその前記中心軸を中心として回転させつつ、前記突起付円筒体をその前記中心軸を中心として、前記突起が前記カップ形砥石と接触しないよう回動させ、
前記突起付円筒体の中心軸及び前記カップ形砥石の中心軸に垂直な方向へ、該カップ形砥石を該突起付円筒体に対して相対的に往復移動させる、
ことを特徴とする突起付円筒体の外周面加工方法。
【請求項２】
請求項１に記載の突起付円筒体の外周面加工方向において、
前記カップ形砥石の前記端面と前記突起付円筒体の前記外周面とが接触し、且つ該突起付円筒体の前記突起と該カップ形砥石とが近接している状態から、再び、同じ状態になるよう、該突起付円筒体を一方向へ回転させた後に逆回転させる、往復回転を一回動とした場合、
前記カップ形砥石の前記突起付円筒体に対する相対的往復移動は、一回動に対して自然数回行う、
ことを特徴とする突起付円筒体の外周面加工方法。
【請求項３】
請求項１及び２のいずれか一項に記載の突起付円筒体の外周面加工方法において、
前記カップ形砥石の相対的往復移動の移動経路の両端部側で、前記突起付円筒体の前記外周面から前記カップ形砥石の前記端面が離れるよう、該カップ形砥石を相対的往復移動させる、
ことを特徴とする突起付円筒体の外周面加工方法。
【請求項４】
請求項３に記載の突起付円筒体の外周面加工方法において、
前記カップ形砥石の相対的往復移動で、前記突起付円筒体の前記外周面から前記カップ形砥石の前記端面が離れている間は、該突起付円筒体の正転時と逆転時とで、該カップ形砥石を基準とした該突起付円筒体の回動角度が異なる、
ことを特徴とする突起付円筒体の外周面加工方法。
【請求項５】
請求項１から４のいずれか一項に記載の突起付円筒体の外周面加工方法において、
前記カップ形砥石の切り込みを伴わずに前記突起付円筒体を回動させるスパークアウトでは、該突起付円筒体の回動中、該カップ形砥石の相対的往復移動を行わない、
ことを特徴とする突起付円筒体の外周面加工方法。
【請求項６】
請求項５に記載の突起付円筒体の外周面加工方法において、
前記スパークアウトで、前記突起付円筒体の正転から逆転への切替時、及び／又は逆転から正転への切替時に、該突起付円筒体の回動を一時的に止めて、該突起付円筒体の中心軸及び前記カップ形砥石の中心軸に垂直な方向へ、該カップ形砥石を該突起付円筒体に対して相対的移動させる、
ことを特徴とする突起付円筒体の外周面加工方法。
【請求項７】
請求項１から４のいずれか一項に記載の突起付円筒体の外周面加工方法において、
前記突起付円筒体の円筒体外周面と前記突起との境界部に、該外周面から中心軸方向へ凹んだ逃げ部を形成し、
前記カップ形砥石の中心軸と平行な方向であって、前記突起付円筒体の中心軸へ近づく向きへの、該カップ形砥石の切り込み動作は、該カップ形砥石の前記端面が前記突起付円筒体の前記逃げ部と対面し、且つ該端面が該突起付円筒体の外周面から離れているときに行う、
ことを特徴とする突起付円筒体の外周面加工方法。
【請求項８】
ロータリー式圧縮機の構成部材であって、円筒体の外周面にブレードが設けられているピストンの製造方法において、
請求項１から７のいずれか一項に記載の突起付円筒体の外周面加工方法で、前記ピストンの前記外周面を加工することを特徴とするピストンの製造方法。
【請求項９】
円環形状の端面を有するカップ形砥石の該端面で、円筒体の外周面に突起が設けられている突起付円筒体の該外周面を加工する突起付円筒体の外周面加工装置において、
前記カップ形砥石の中心軸を中心として、該カップ形砥石を回転させる砥石回転手段と、
前記カップ形砥石の中心軸に対して、前記突起付円筒体の中心軸が垂直な状態で、該突起付円筒体の該中心軸を中心として、該突起付円筒体を回動させる被加工物回動手段と、
前記カップ形砥石の前記中心軸と平行な第一の方向に、該カップ形砥石と前記突起付円筒体のうちの一方を他方に対して相対移動させる第一の移動手段と、
前記突起付円筒体の前記中心軸と平行な第二の方向に、前記カップ形砥石と該突起付円筒体とのうちの一方を他方に対しして相対移動させる第二の移動手段と、
前記カップ形砥石の前記中心軸及び前記突起付円筒体の前記中心軸に対して垂直な第三の方向に、該カップ形砥石と該突起付円筒体とのうち、いずれか一方を他方に対して相対移動させる第三の移動手段と、
前記第一の移動手段、前記第二の移動手段及び前記第三の移動手段を動作させて、前記突起付円筒体の外周面に前記カップ形砥石の前記端面を接触させ、前記砥石回転手段と前記被加工物回動手段とを動作させて、該突起付円筒体の外周面を該カップ形砥石の該端面で加工させる制御手段と、
を備え、
前記制御手段は、前記突起付円筒体の外周面が前記カップ形砥石の前記端面で加工されている間に、前記第三の移動手段により前記第三の方向へ前記一方を相対的に往復移動させる、
ことを特徴とする突起付円筒体の外周面加工装置。
【請求項１０】
請求項９に記載の突起付円筒体の外周面加工装置において、
前記カップ形砥石の前記端面と前記突起付円筒体の前記外周面とが接触し、且つ該突起付円筒体の前記突起と該カップ形砥石とが近接している状態から、再び、同じ状態になるよう、該突起付円筒体を一方向へ回転させた後に逆回転させる、往復回転を一回動とした場合、
前記制御手段は、前記カップ形砥石の前記突起付円筒体に対する相対的往復移動は、一回動に対して自然数回行う、
ことを特徴とする突起付円筒体の外周面加工装置。
【請求項１１】
請求項９及び１０のいずれか一項に記載の突起付円筒体の外周面加工装置において、
前記制御装置は、前記第三の移動手段により、前記カップ形砥石の相対的往復移動の移動経路の両端部側で、前記突起付円筒体の前記外周面から前記カップ形砥石の前記端面が離れるよう、該カップ形砥石を相対的往復移動させる、
ことを特徴とする突起付円筒体の外周面加工装置。
【請求項１２】
請求項１１に記載の突起付円筒体の外周面加工装置において、
前記カップ形砥石の相対的往復移動で、前記突起付円筒体の前記外周面から前記カップ形砥石の前記端面が離れている間は、該突起付円筒体の正転時と逆転時とで、該カップ形砥石を基準とした該突起付円筒体の回動角度が異なるよう、前記制御手段は、前記被加工物回動手段による前記突起付円筒体の回動周期に対する、前記第三の移動手段による前記カップ形砥石の相対的往復移動の相対的な周期を制御する、
ことを特徴とする突起付円筒体の外周面加工装置。
【発明の詳細な説明】
【０００１】
【発明の属する技術分野】
本発明は、円環形状の端面を有するカップ形砥石の該端面で、円筒体の外周面に突起が設けられている突起付円筒体の該外周面を加工する突起付円筒体の外周面加工方法、及び加工装置に関する。
【０００２】
【従来の技術】
ロータリー式圧縮機としては、例えば、図８に示すようなものがある。
この圧縮機５０においては、ピストン５１がシリンダ５２内に組込まれており、ピストン５１がモータ（図示せず）に直結したクランクシャフト５３の偏心部分の回転により、シリンダ５２の内面５２ａに対して公転運動を行う。このピストン５１には、その外周面にブレード５１ａが設けられている。シリンダ５２の内部は、ピストン５１の外周面とシリンダ５２の内面５２ａとが接触しているシール部５９と、ブレード５１ａとにより、低圧室５７と高圧室５８とに仕切られている。シリンダ５２の吸入口５５より吸い込まれた冷媒ガスは、ピストン５１の公転運動によって圧縮され、シリンダ５２の吐出口５６より冷凍サイクル（図示せず）に供給される。ブレード５１ａは、シリンダ５２に回動自在に挿入された一対のシュー５４により案内されている。なお、図８では説明の便宜のためにシリンダ５２の両端面は開口させているが、実際には、この開口は、シャフト５３を支持するする軸受け部材で塞がれている。
【０００３】
このような円筒体の外周面に突起（以上では、ブレード５１ａに相当）が設けられている突起付円筒体を加工する方法として、特開平１０−１９３２４２号公報に開示される方法が知られている。
【０００４】
この方法は、図９に示すように、カップ形砥石６０を用いて、突起付円筒体５１の外周面５１ｂを加工する方法である。
【０００５】
カップ形砥石６０は、その中心軸Ｅを中心として回転し、ピストン５１は、円筒の中心軸Ｏを中心として回動する。ピストン５１の外周面５１ｂは、カップ形砥石６０の端面６１と、点Ｐで接触している。この際、カップ形砥石６０は、その端面６１が直線ＯＰに対して垂直になっている。
【０００６】
カップ形砥石６０の外縁および内縁側の形状は、ピストン５１のブレード５１ａが加工に必要な範囲で接近しても接触しない形状になっており、特に、内縁側はブレード５１ａを十分に収容できる凹部を成した形状としている。
【０００７】
図１０は、図９のＡ方向から見た際のカップ形砥石６０の端面の軌跡、及びピストン５１を示すものである。図１０において、砥石６０の端面６１とピストン５１の外周面５１ｂの接触部は、ピストン５１の円筒体の母線となる、直線Ｐ１１−Ｐ１２である。砥石６０の端面６１中であって、直線Ｐ１１−Ｐ１２を通過していく部分は、砥石６０の中心軸Ｅを中心とし、点Ｐ１１と点Ｐ１２を通過する円弧Ｂと、中心を同じくし、直線Ｐ１１−Ｐ１２上の点であって中心軸Ｅまでの最短距離点Ｐ１３を通過する円弧Ｃによって挟まれる範囲である。砥石６０の端面６１で円弧Ｂと円弧Ｃによってはさまれた範囲、つまり端面６１中の実作業面が通過することで、Ｐ１１−Ｐ１２の部分が加工される。なお、同図において、砥石端面６１の幅をＷ、砥石端面６１の実作業面の幅をＴ、ピストン５１の中心軸と平行な方向の寸法をＬとしている。
【０００８】
図９に示すような配置で、中心軸Ｏを中心としてピストン５１を回動させると、ピストン５１の外周面５１ｂが加工される。ピストン５１はブレード５１ａを備えており、同一方向に回動を続けようとするとブレード５１ａがカップ形砥石６０に接触して干渉するので、加工が必要な範囲の始点と終点の間で、正転、逆転と回動方向を反転させながら、外周面５１ｂの加工を行なう。カップ形砥石６０の切り込み動作は、カップ形砥石６０の中心軸Ｅに平行で且つカップ形砥石６０がピストン５１に接近する方向に、カップ形砥石６０を移動させることで、実施される。
【０００９】
一般的に、研削抵抗を小さくして加工精度を向上させるために、切り込みを小さくしていくと、砥石の実作業面の幅が小さくなっていく。一例として、ピストン５１の円筒体の高さＬが１０ｍｍ、ピストン５１の円筒体の直径が３０ｍｍ、砥石６０の外縁の直径が１００ｍｍ、切り込み量が０．００２ｍｍの場合、砥石６０の実作業面の幅Ｔは０．５０ｍｍとなる。また、スパークアウトと称される切り込み量がゼロで砥石６０を回転させる加工では、切り込み量以外、以上と同じ条件で、実作業面の幅Ｔが０．２５ｍｍとなる。
【００１０】
ところで、ピストン外周面の精度を良好にするには、砥石端面６１の平面度を良好に維持する必要がある。砥石６０は使用することで摩耗していくが、砥石端面の平面度を良好に維持するためには、砥石全体を均一に摩耗させる必要がある。このためには、加工中に砥石６０の端面６１の全面が使用されるように、砥石の端面幅Ｗを設定する方法が考えられる。この方法の場合、スパークアウトにおいても砥石端面６１の全面を接触させるには、砥石６０の端面幅Ｗは、前述したスパークアウト時の実作業面の幅Ｔと同じ、０．２５ｍｍの設定となる。端面幅０．２５ｍｍと非常に狭い幅の砥石は、砥粒を結合剤に混練して焼成した後に、成形する通常の砥石製作法では、破壊の恐れが高く、実質的に製作できない。また、破壊の問題を考慮しないとしても、端面幅０．２５ｍｍと狭いと、砥石６０の寿命が極端に短くなり、実用的でない。このため、従来技術では、実作業面の幅Ｔよりも広い端面幅Ｗの砥石６０を用いて、ピストン５１を加工している。
【００１１】
【発明が解決しようとする課題】
しかしながら、従来技術では、実作業面の幅Ｔよりも広い端面幅Ｗの砥石６０を用いているため、砥石６０の端面６１で使用しない部分が存在することになり、砥石６０の端面６１中の実作業面のみが摩耗してしまい、砥石端面の平面度が悪化し易い。砥石端面の平面度が悪化すると、ピストン外周面の加工精度が低下する。このため、従来技術では、ダイヤモンド工具等で、砥石の端面を修正するツルーイング作業を頻繁に行うことになり、生産性を向上させることが困難であるという問題点がある。
【００１２】
本発明は、このような従来の問題点に着目し、ツルーイングを作業を頻繁に行わずとも、砥石端面の平面度をある程度維持でき、突起付円筒体の生産性を向上させることができる加工方法、及び加工装置を提供することを目的とする。
【００１３】
【課題を解決するための手段】
前記目的を達成するための第一の突起付円筒体の外周面加工方法は、
カップ形砥石の中心軸と突起付円筒体の中心軸とを垂直にして、該カップ形砥石の前記端面と該突起付円筒体の前記外周面とを接触させ、
前記カップ形砥石をその前記中心軸を中心として回転させつつ、前記突起付円筒体をその前記中心軸を中心として、前記突起が前記カップ形砥石と接触しないよう回動させ、
前記突起付円筒体の中心軸及び前記カップ形砥石の中心軸に垂直な方向へ、該カップ形砥石を該突起付円筒体に対して相対的に往復移動させることを特徴とするものである。
【００１４】
前記目的を達成するための第二の突起付円筒体の外周面加工方法は、
前記第一の加工方法において、
前記カップ形砥石の前記端面と前記突起付円筒体の前記外周面とが接触し、且つ該突起付円筒体の前記突起と該カップ形砥石とが近接している状態から、再び、同じ状態になるよう、該突起付円筒体を一方向へ回転させた後に逆回転させる、往復回転を一回動とした場合、
前記カップ形砥石の前記突起付円筒体に対する相対的往復移動は、一回動に対して自然数回行うことを特徴とするものである。
【００１５】
前記目的を達成するための第三の突起付円筒体の外周面加工方法は、
前記第一又は第二のいずれかの加工方法において、
前記カップ形砥石の相対的往復移動の移動経路の両端部側で、前記突起付円筒体の前記外周面から前記カップ形砥石の前記端面が離れるよう、該カップ形砥石を相対的往復移動させることを特徴とするものである。
【００１６】
前記目的を達成するための第四の突起付円筒体の外周面加工方法は、
前記第三の加工方法において、
前記カップ形砥石の相対的往復移動で、前記突起付円筒体の前記外周面から前記カップ形砥石の前記端面が離れている間は、該突起付円筒体の正転時と逆転時とで、該カップ形砥石を基準とした該突起付円筒体の回動角度が異なることを特徴とするものである。
【００１７】
前記目的を達成するための第五の突起付円筒体の外周面加工方法は、
前記第一から第四のいずれかの加工方法において、
前記カップ形砥石の切り込みを伴わずに前記突起付円筒体を回動させるスパークアウトでは、該突起付円筒体の回動中、該カップ形砥石の相対的往復移動を行わないことを特徴とするものである。
【００１８】
前記目的を達成するための第六の突起付円筒体の外周面加工方法は、
前記第五の加工方法において、
前記スパークアウトで、前記突起付円筒体の正転から逆転への切替時、及び／又は逆転から正転への切替時に、該突起付円筒体の回動を一時的に止めて、該突起付円筒体の中心軸及び前記カップ形砥石の中心軸に垂直な方向へ、該カップ形砥石を該突起付円筒体に対して相対的移動させることを特徴とするものである。
【００１９】
前記目的を達成するための第七の突起付円筒体の外周面加工方法は、
前記第一から第四のいずれかの外周面加工方法において、
前記突起付円筒体の円筒体外周面と前記突起との境界部に、該外周面から中心軸方向へ凹んだ逃げ部を形成し、
前記カップ形砥石の中心軸と平行な方向であって、前記突起付円筒体の中心軸へ近づく向きへの、該カップ形砥石の切り込み動作は、該カップ形砥石の前記端面が前記突起付円筒体の前記逃げ部と対面し、且つ該端面が該突起付円筒体の外周面から離れているときに行うことを特徴とするものである。
【００２０】
また、ロータリー式圧縮機の構成部材であって、円筒体の外周面にブレードが設けられているピストンの製造方法は、
前記第一から第七のいずれかの突起付円筒体の外周面加工方法で、前記ピストンの前記外周面を加工することを特徴とするものである。
【００２１】
また、前記目的を達成するための第一の突起付円筒体の外周面加工装置は、
カップ形砥石の中心軸を中心として、該カップ形砥石を回転させる砥石回転手段と、
前記カップ形砥石の中心軸に対して、突起付円筒体の中心軸が垂直な状態で、該突起付円筒体の該中心軸を中心として、該突起付円筒体を回動させる被加工物回動手段と、
前記カップ形砥石の前記中心軸と平行な第一の方向に、該カップ形砥石と前記突起付円筒体のうちの一方を他方に対して相対移動させる第一の移動手段と、
前記突起付円筒体の前記中心軸と平行な第二の方向に、前記カップ形砥石と該突起付円筒体とのうちの一方を他方に対しして相対移動させる第二の移動手段と、
前記カップ形砥石の前記中心軸及び前記突起付円筒体の前記中心軸に対して垂直な第三の方向に、該カップ形砥石と該突起付円筒体とのうち、いずれか一方を他方に対して相対移動させる第三の移動手段と、
前記第一の移動手段、前記第二の移動手段及び前記第三の移動手段を動作させて、前記突起付円筒体の外周面に前記カップ形砥石の前記端面を接触させ、前記砥石回転手段と前記被加工物回動手段とを動作させて、該突起付円筒体の外周面を該カップ形砥石の該端面で加工させる制御手段と、
を備え、
前記制御手段は、前記突起付円筒体の外周面が前記カップ形砥石の前記端面で加工されている間に、前記第三の移動手段により前記第三の方向へ前記一方を相対的に往復移動させることを特徴とするものである。
【００２２】
前記目的を達成するための第二の突起付円筒体の外周面加工装置は、
前記第一の加工装置において、
前記カップ形砥石の前記端面と前記突起付円筒体の前記外周面とが接触し、且つ該突起付円筒体の前記突起と該カップ形砥石とが近接している状態から、再び、同じ状態になるよう、該突起付円筒体を一方向へ回転させた後に逆回転させる、往復回転を一回動とした場合、
前記制御手段は、前記カップ形砥石の前記突起付円筒体に対する相対的往復移動は、一回動に対して自然数回行うことを特徴とするものである。
【００２３】
前記目的を達成するための第三の突起付円筒体の外周面加工装置は、
前記第一又は第二の加工装置において、
前記制御装置は、前記第三の移動手段により、前記カップ形砥石の相対的往復移動の移動経路の両端部側で、前記突起付円筒体の前記外周面から前記カップ形砥石の前記端面が離れるよう、該カップ形砥石を相対的往復移動させることを特徴とするものである。
【００２４】
前記目的を達成するための第四の突起付円筒体の外周面加工装置は、
前記第三の加工装置において、
前記カップ形砥石の相対的往復移動で、前記突起付円筒体の前記外周面から前記カップ形砥石の前記端面が離れている間は、該突起付円筒体の正転時と逆転時とで、該カップ形砥石を基準とした該突起付円筒体の回動角度が異なるよう、前記制御手段は、前記被加工物回動手段による前記突起付円筒体の回動周期に対する、前記第三の移動手段による前記カップ形砥石の相対的往復移動の相対的な周期を制御することを特徴とするものである。
【００２５】
【発明の実施の形態】
以下、本発明の実施形態について、図面を用いて説明する。
【００２６】
まず、本発明に係る第一の実施形態としての加工装置及び加工方法について、図１、図２及び図７を用いて説明する。
【００２７】
本実施形態における加工対象は、図１に示すように、中空円筒体２と、この中空円筒体２の外周面３に設けられているブレード４と、を有する、ロータリー圧縮機用のピストン１である。中空円筒体２の外周面３とブレード４との境界部には、中空円筒体２の中心軸Ｏの方向へ凹んだ逃げ部４ａが形成されている。又、このピストン１の外周面３を加工する砥石は、従来技術の欄で述べたものと同じく、カップ形砥石２０である。
【００２８】
ピストン１の外周面３を加工するための加工装置３０は、図７に示すように、加工対象であるピストン１が固定されるワークチャック３７と、ワークチャック３７と共にピストン１をその中心軸Ｏを中心として回動させるワークロータリテーブル３４と、カップ形砥石２０が固定される砥石主軸３８と、砥石主軸３８と共にカップ形砥石２０をその中心軸Ｅを中心として回転させる砥石ロータリテーブル３９と、ピストン１の中心軸Ｏ及びカップ形砥石２０の中心軸Ｅに対して垂直な方向（以下、Ｙ方向とする）にワークロータリテーブル３４及びワークチャック３７を移動させるＹ軸テーブル３３と、ピストン１の中心軸Ｏと平行な方向（以下、Ｘ方向とする）にＹ軸テーブル３３と共にワークロータリテーブル３４及びワークチャック３７を移動させるＸ軸テーブル３２と、カップ形砥石２０の中心軸Ｅと平行な方向（以下、Ｚ方向とする）に砥石ロータリテーブル３９及び砥石主軸３８を移動させるＺ軸テーブル３５と、このＺ軸テーブル３５が塔載されるコラム３６と、砥石２０の端面を修正するドレッサ４１と、これらを制御する制御盤４０と、これらが塔載されるベース３１と、を備えている。なお、Ｘ方向、Ｙ方向、Ｚ方向は、互いに垂直である。
【００２９】
次に、以上で説明した加工装置３０を用いた、ピストン１の外周面３の加工方法について説明する。
【００３０】
まず、チャック３７にピストン１を把持させると共に、砥石主軸３８にカップ形砥石２０を固定する。次に、制御盤４０を操作して、Ｘ軸テーブル３２及びＹ軸テーブル３３を駆動させて、ピストン１を目的の加工点上に移動させる。次にワークロータリテーブル３４を駆動させて、ピストン１を加工開始角度の位置に回動させる。次に、砥石ロータリテーブル３９を駆動させて、砥石２０を回転させる。以上の状態になると、Ｚ軸テーブル３５を駆動させて、砥石２０をＺ方向に移動させると共に、ワークロータリテーブル３４を駆動させて、ピストン１を回動させて、ピストン１の外周面の加工を開始する。この加工時には、ピストン１の回動に同期させて、Ｙ軸テーブル３３を駆動して砥石２０を往復移動させる、いわゆるオシレーション動作を行う。
【００３１】
次に、図２を用いて、ピストン１の加工時における、ピストン１及び砥石２０の動作について説明する。
【００３２】
図２（ａ）（ａ’）は、ピストン１の加工開始時の状態を示している。これらの図に示すように、加工開始時には、ピストン１の外周面３の母線である直線Ｐ１−Ｐ２と、カップ形砥石２０の端面２１とが接しており、接点Ｐとピストン１の中心軸Ｏとを結ぶ線分ＯＰは、砥石端面２１と垂直、言い換えると、砥石２０の中心軸Ｅと平行になっている。なお、接点Ｐは、直線Ｐ１−Ｐ２上の点である。また、図２（ａ’）に示す直線Ｐ１−Ｐ２は、ピストン１の外周面３で加工すべき範囲の始点である。この直線Ｐ１−Ｐ２は、ピストン１のブレード４と外周面３との境界部に形成した逃げ部４ａと近接している。したがって、加工開始時には、ピストン１のブレード４とカップ形砥石２０の外周面も、最も近接した状態である。この状態では、ピストン１のブレード４は、砥石２０の中心軸Ｅ（Ｚ方向に平行）に対して約３０°の角度θを成している。この角度θ（加工開始角度）は、以下の加工過程において最小角度である。
【００３３】
砥石端面２１上の外縁２２は、加工開始位置となる点Ｐ１，Ｐ２を通過する位置にある。砥石端面２１中で外周面３に接触する範囲は、砥石２０の中心軸Ｅを中心とし、点Ｐ１，Ｐ２を通過する円弧Ａと、同じく、砥石２０の中心軸Ｅを中心とし、直線Ｐ１−Ｐ２上の中点Ｐ３を通過する円弧Ｂとで挟まれた範囲である。上述したように、円弧Ａは、砥石の外縁２２上に位置している。このため、実作業面は、砥石２０の端面２１中の円弧Ａと円弧Ｂとで挟まれた範囲、つまり端面２１の外縁２２側となる。従って、仮に、砥石２０をＹ方向に移動させないで加工した場合には、砥石２０の端面２１中の外縁２２側が摩耗することになり、円弧Ｂと砥石２０の内縁２３で挟まれた範囲は使用されないままとなる。なお、以上では、点Ｐ３は、点Ｐ１，Ｐ２の中点としているが、中点でなくてもよく、例えば、Ｐ３が点Ｐ１，Ｐ２のいずれかに近寄っている場合、円弧ＡはＥＰ１もしくはＥＰ２のどちらか距離が長い方を半径とする円弧を選択すればよい。この場合、直線Ｐ１−Ｐ２上で点Ｅから最も距離が短い点Ｐ３とし、ＥＰ３を半径とした円弧が円弧Ｂである点は変わらない。
【００３４】
図２（ａ）（ａ’）に示した状態から、ピストン１をα方向（反時計回り方向）に約１５０°回動させると共に、砥石２０をＹ方向に移動させた状態が、図２（ｂ）（ｂ’）の状態である。この際、砥石端面２１中で、外周面３と接触する領域、つまり、実作業面は、円弧Ａと円弧Ｂで挟まれた範囲であり、砥石端面全幅の中間に位置している。
【００３５】
さらにピストン１をα方向に約１５０°回動させると共に、砥石２０をＹ方向に移動させた状態が、図２（ｃ）（ｃ’）の状態である。この際、砥石端面２１は、ピストン１の外周面３の母線である直線Ｐ１−Ｐ２と接する。この直線Ｐ１−Ｐ２は、ピストン１の外周面３で加工すべき範囲の終点である。この直線Ｐ１−Ｐ２は、ピストン１のブレード４と外周面３との境界部に形成した逃げ部４ａと近接している。したがって、ピストン１のブレード４とカップ形砥石２０の内周面も、最も近接した状態である。この状態では、ピストン１のブレード４は、砥石２０の中心軸Ｅ（Ｚ方向に平行）に対して約３３０°（＝３０＋１５０＋１５０）の角度θを成している。この角度θは、以上の加工過程において最大角度である。
【００３６】
砥石端面２１上の内縁２３は、点Ｐ１，Ｐ２を通過する位置にある。砥石端面２１中で外周面３に接触する範囲は、点Ｐ１，Ｐ２を通過する円弧Ａと、中点Ｐ３を通過する円弧Ｂとで挟まれた範囲である。上述したように、円弧Ａは、砥石２０の内縁２２上に位置している。このため、実作業面は、砥石２０の端面２１中の円弧Ａと円弧Ｂとで挟まれた範囲、つまり砥石端面２１の内縁２３側となる。
【００３７】
次に、図２（ｃ）（ｃ’）の状態から、ピストン１を−α方向に回動させつつ、砥石２０を−Ｙ方向へ移動させて、図２（ｂ）（ｂ’）の状態を経て、再び、図２（ａ）（ａ’）の状態に戻す。以下、ピストン１の±α方向への回動、砥石２０を±Ｙ方向への移動を繰り返して、ピストン１の外周面３を加工する。
【００３８】
以上のように、ピストン１の外周面３の加工すべき始点から終点の全範囲に対して、砥石端面２１の外縁２２から内縁２３が接することになるので、砥石端面２１の全体がほぼ均等に摩耗することになり、砥石２０に対するツルーイング作業の回数を少なくすることができる。
【００３９】
ところで、切り込み量０のスパークアウトにおいて、ピストン１の回動中には、以上とは異なり、砥石２０を往復移動させないことが好ましい。これは、最終仕上げであるスパークアウトでは高い精度が要求されるため、移動軸数を減らして、つまり、砥石２０の往復移動を止めて、往復移動によるＺ方向（切り込み方向）の砥石２０の変位を無くすためである。
【００４０】
このように、スパークアウトで砥石２０を往復移動させないと、砥石２０が偏摩耗してしまうが、スパークアウトは最後の数回動であり、砥石の摩耗は小さいので、スパークアウトによる砥石の偏摩耗は、実質的に無視できる。但し、連続的に多数のピストンの加工を行う場合には、スパークアウトでも、砥石２０が変摩耗してしまう。このような場合は、スパークアウトにおいて、ピストンの正転から逆転及び／又は逆転から正転への切り替わり点で、ピストンの回動を一時的に止めて、砥石２０をＹ方向に移動させ、砥石端面２１中でピストン外周面３と接触する部分の位置を変えればよい。
【００４１】
なお、以上では、ピストン１の±α方向への回転、つまり往復回転を一回動とした場合、砥石２０の±Ｙ方向への往復移動を一回行っているが、ピストン１の一回動に対して、砥石２０の往復移動を二回、三回と、自然数回行うようにしてもよい。このように、ピストン１の一回動に対して、砥石２０の往復移動が自然数回行なわれることを、本明細書では、ピストン１の回動と砥石２０の往復移動とが同期している、としている。
【００４２】
また、以上とは逆に、ピストン１の回動と砥石２０の往復移動とを同期させなくてもよいが、この場合、ピストン１のブレード４と砥石２０とが干渉してしまう可能性が高まるので、これを考慮して回動周期や往復移動周期を定める必要がある。例えば、以上の実施形態において、図２（ｃ）（ｃ’）の状態では、ピストン１が＋α方向に最大回動角を成し、且つ砥石２０が＋Ｙ方向に最大距離移動している状態であるが、同期を取らない場合、以上と同様に、ピストン１が＋α方向に最大回動角を成しているときに、以上とは逆に、砥石２０が−Ｙ方向に最大距離移動している状態が起こり、ピストン１のブレード４と砥石２０の内周面とが干渉してしまう可能性が高い。これを回避ためには、砥石端面２１の幅Ｗを狭くすることであるが、これでは、砥石摩耗を小さく抑えることができない。
【００４３】
次に、図３〜図５を用いて、本発明に係る第二の実施形態としての加工方法について説明する。なお、加工装置及び加工対象は、第一の実施形態と同じである。
【００４４】
図３に示すように、本実施形態は、カップ形砥石２０の往復移動の振幅を第一の実施形態よりも大きくして、往復移動経路の両端部側で、ピストン１の外周面３から砥石端面２１が離れるようにしたものである。
【００４５】
本実施形態では、図４及び図５に示すように、ピストン１が±α方向へ一回往復回転する間に、砥石２０が±Ｙ方向へ複数回往復移動する。ピストン１から砥石２０の離脱は、ピストン１が＋α方向へ回動（正転）するときには、まず、加工開始位置（基準位置から３０°）から砥石２０が＋Ｙ方向へ移動する過程で、＋Ｙ方向への最大移動距離になる直前、言い換えると、ピストン１が＋α方向へ９０°回動する直前に行われ、次に、砥石２０が−Ｙ方向へ移動する過程で、−Ｙ方向への最大移動距離になる直前、言い換えると、ピストン１が＋α方向へ１８０°回動する直前に行われ、次に、砥石２０が＋Ｙ方向へ移動する過程で、＋Ｙ方向への最大移動距離になる直前、言い換えると、ピストン１が＋α方向へ２７０°回動する直前に行われる。また、ピストン１が−α方向へ回動（逆転）するときの砥石２０の離脱は、ピストン１の正転から逆転への折り返し位置（３３０°）から砥石２０が＋Ｙ方向へ移動する過程で、＋Ｙ方向への最大移動距離になる直前、言い換えると、ピストン１が折り返し位置から位置から９０°（基準位置からは２４０°）回動する直前に行われ、次に、砥石２０が−Ｙ方向へ移動する過程で、−Ｙ方向への最大移動距離になる直前、言い換えると、ピストン１が折り返し位置から２１０°（基準位置からは１２０°）回動する直前に行われる。
【００４６】
以上のように、カップ形砥石２０の往復移動の振幅を第一の実施形態よりも大きくして、往復移動経路の両端部側で、ピストン１の外周面３から砥石端面２１が離れるようにしたのは、砥石端面２１の全体がピストン１の外周面３に確実に接触するようにするためである。例えば、設計レベルにおいて、砥石端面２１の全体がピストン１の外周面３に接触するように、砥石２０を往復移動させても、砥石端面２１の幅Ｗに関する製造誤差や、ピストン１や砥石２０の取付誤差等で、砥石端面２１の外縁側の一部又は内縁側の一部がピストン１の外周面３と接触しない場合が考えられる。そこで、本実施形態では、このような場合を回避するために、砥石２０の往復移動の振幅を大きくしている。
【００４７】
ところで、以上のように、砥石２０の往復移動で、砥石端面２１がピストン１の外周面３から離れるようにすると、砥石端面２１の全体がピストン１の外周面３に確実に接触するものの、逆に、ピストン１の外周面３中で砥石端面２１と接触しない部分が生じる。そこで、本実施形態では、ピストン１の正転時と逆転時とで、ピストン１の外周面３中で砥石端面２１と接触しない部分の位置を変えている。具体的には、前述したように、ピストン１の正転時には、基準位置から９０°、１８０°、２７０°の近傍で砥石端面２１が離れるようにし、ピストン１の逆転時には、基準位置から２４０°、１２０°の近傍で砥石端面２１が離れるようにしている。但し、以上のような工夫をしても、ピストン１の外周面中で加工量の差が生じてしまうので、ピストン１の最後の往復回転の際に、砥石２０の切り込み量を微小にすれば、ピストン１の外周面中の加工量の差を微小にでき、外周面の加工精度を目的の精度内に収めることができる。
【００４８】
なお、以上の実施形態では、ピストン１の正転時には、９０°、１８０°、２７０°の近傍で砥石端面２１が離れるようにし、ピストン１の逆転時には、２４０°、１２０°の近傍で砥石端面２１が離れるようにしているが、その他の角度で砥石端面２１が離れるようにしてもよいことは言うまでもない。
【００４９】
次に、図６を用いて、本発明に係る第三の実施形態としての加工方法について説明する。なお、加工装置及び加工対象は、第一の実施形態と同じである。
【００５０】
この実施形態では、加工開始位置、及びピストン１の正転逆転開始位置で、砥石端面２１がピストン１の逃げ部４ａと対向するようにしたものである。
【００５１】
砥石２０の切り込み方向は、砥石端面２１に直角でピストン１の中心軸Ｏに近づく向き、つまり＋Ｚ方向である。加工開始位置、及びピストン１の正転逆転開始位置で、砥石端面２１が外周面３に対して切り込みを与える位置に移動しても、溝形状にげの部４ａでは、外周面３よりも中心軸Ｏ側にくぼんでおり、ピストン１に接触することなく切り込み動作を行なうことができる。そして、切り込み動作を止めてから、ピストン１の回動を開始すると，切込みが直ちに発生し、ピストン１の外周面３の全周に渡り、一定の切り込み量を確保できる。
【００５２】
砥石２０を一定点で切り込んでいく切り込み動作中に、砥石２０が外周面３に接触していると、発熱による研削焼け等の弊害が生じる。よって、以上のように、砥石２０が逃げ部４ａに対面した位置で、外周面３に接触しない範囲で切り込み動作を行なうことで、研削焼け等の障害を回避できる。
【００５３】
また、外周面３に砥石２０が接触して加工を行なっている過程で、切り込み動作を行なうことは、加工途中で付加変動が生じる結果となり、加工精度の低下を招く原因となる。そこで、本実施形態では、砥石２０が外周面３に接触している間は、砥石２０に切り込み動作を与えないで加工して、加工精度の向上を図っている。
【００５４】
なお、以上の実施形態では、ピストン１の逃げ部４ａを溝形状としたが、この逃げ部４ａは、外周面３よりも中心軸Ｏ側に寄る形状であれば、如何なる形状でもよく、例えば、平面形状でもよい。
また、以上の実施形態では、砥石２０を±Ｙ方向に往復移動させたが、逆に、ピストン１を±Ｙ方向に往復移動させてもよいことは言うまでもない。
【００５５】
【発明の効果】
以上、発明の実施形態に述べてきた例のように、本発明によれば、突起付円筒体及びカップ形砥石が共に回転して、突起付円筒体の外周面を加工している際に、突起付円筒体に対してカップ形砥石を往復移動させているので、砥石端面の偏摩耗を抑制でき、形状修正を目的としたツルーイングを頻繁に行なう必要がなくなり、生産性を向上させることができる。
【図面の簡単な説明】
【図１】本発明に係る第一の実施形態におけるカップ形砥石とピストンの相対位置関係及び動作を説明するための説明図である。
【図２】本発明に係る第一の実施形態におけるカップ形砥石の移動と、この移動に伴う実作業面の位置変化を示す説明図である。
【図３】本発明に係る第二の実施形態におけるカップ形砥石の往復移動形態を示す説明図である。
【図４】本発明に係る第二の実施形態におけるカップ形砥石の往復移動とピストンの回動との関係を示す説明る図である。
【図５】本発明に係る第二の実施形態におけるピストンの回動角度とカップ形砥石の離脱位置との関係を示す説明図である。
【図６】本発明に係る第三の実施形態におけるカップ形砥石の切り込み動作を示す説明図である。
【図７】本発明に係る一実施形態における加工装置の斜視図である。
【図８】ロータリ圧縮機の要部斜視図である。
【図９】従来技術におけるカップ形砥石によるピストン外周面加工の形態を示す説明図である。
【図１０】図９のＡ方向から見た際のカップ形砥石の端面の軌跡、及びピストンを示す説明図である。
【符号の説明】
１，５１…ピストン、２…中空円筒体、３，５１ｂ…外周面、４，５１ａ…ブレード、４ａ…逃げ部、２０，６０…カップ形砥石、２１，６１…砥石端面、２２…外縁、２３…内縁、３０…加工装置、３２…Ｘ軸テーブル、３３…Ｙ軸テーブル、３４…ワークロータリテーブル、３５…Ｚ軸テーブル、３６…コラム、３９…砥石ロータリテーブル、４０…制御盤。
【図１】
0003579306.tif 000002
【図２】
0003579306.tif 000003
【図３】
0003579306.tif 000004
【図４】
0003579306.tif 000005
【図５】
0003579306.tif 000006
【図６】
0003579306.tif 000007
【図７】
0003579306.tif 000008
【図８】
0003579306.tif 000009
【図９】
0003579306.tif 000010
【図１０】
0003579306.tif 000011